(57)【要約】【課題】様々な形状の小物を収納できる小物収納具を提供する。【解決手段】小物収納具１は、小物を収納可能な本体部２と、蓋４と、を備え、本体部２には、小物を載置可能な弾性部材６が、蓋４の裏面に対向して設けられている。弾性部材６は、蓋４を本体部２に対して閉じたとき、弾性部材６の少なくとも一部が蓋４の裏面に接触するように構成される。【選択図】図１
0003224051.tif 000002
【実用新案登録請求の範囲】
【請求項１】
小物を収納可能な本体部と、蓋と、を備え、
前記本体部には、小物を載置可能な弾性部材が、前記蓋の裏面に対向して設けられる、
ことを特徴とする小物収納具。
【請求項２】
前記弾性部材は、前記蓋を前記本体部に対して閉じたとき、前記弾性部材の少なくとも一部が前記蓋の裏面に接触するように構成される、
請求項１に記載の小物収納具。
【請求項３】
前記弾性部材は、前記蓋の裏面に対向する面が波状に形成されている、
請求項１または請求項２に記載の小物収納具。
【請求項４】
前記弾性部材は、前記波状の先端部分のみが前記蓋の裏面によって圧縮されるように構成される、
請求項３に記載の小物収納具。
【請求項５】
前記弾性部材は、前記蓋を前記本体部に対して閉じたとき、前記弾性部材の少なくとも一部が前記蓋の裏面によって圧縮されるように構成される、
請求項１から請求項３のいずれか１項に記載の小物収納具。
【請求項６】
前記蓋の少なくとも一部は、前記本体部に収納された小物が視認可能なように、透明部材で形成されている、
請求項１から請求項５のいずれか１項に記載の小物収納具。
【請求項７】
前記弾性部材は、前記本体部の厚み方向に２層設けられている、
請求項１から請求項６のいずれか１項に記載の小物収納具。
【考案の詳細な説明】
【技術分野】
【０００１】
本考案は、収納具に関する。
【背景技術】
【０００２】
従来、小物を収納する収納具としては、例えば特許文献１に記載されたものがある。この特許文献１に記載された展示兼用装飾包装箱は、外装箱内に内箱を備え、内箱内の収容凹部に小物を収容することができる。
【先行技術文献】
【特許文献】
【０００３】
【特許文献１】実用新案登録第３０８４９３７号
【考案の概要】
【考案が解決しようとする課題】
【０００４】
近年、コンサートグッズやアクセサリ、葉書等、様々な物品を収納して展示したいという要望がある。しかしながら、上記のような収納具では、収納凹部の形状が決まっているため、収納凹部に収納できる小物の形状が制限される。また、上記のような収納部では、箱自体を立てて小物を展示することができない。
本考案の目的は、様々な物品を収納することができる収納具を提供することにある。
【課題を解決するための手段】
【０００５】
上記の目的を達成するために、本考案の小物収納具は、小物を収納可能な本体部と、蓋と、を備え、本体部には、小物を載置可能な弾性部材が、蓋の裏面に対向して設けられている、ことを特徴としている。
このように構成された本考案においては、本体部に弾性部材が設けられ、この弾性部材に小物を載置可能なので、弾性部材が小物の形状に応じて変形して小物を受け入れる。よって様々な形状の小物を収納することができる。
【０００６】
本考案において、好ましくは、弾性部材は、蓋を本体部に対して閉じたとき、弾性部材の少なくとも一部が蓋の裏面に接触するように構成される。
このように構成された本考案においては、蓋を本体部に対して閉じたときに、弾性部材の少なくとも一部が蓋の裏面に接触するように構成されるので、小物を弾性部材に載置して蓋を閉めたとき、小物が蓋と弾性部材との間に挟持される。小物収納具を立てても小物が落ちることがないので、小物収納具を立てることもできる。
【０００７】
本考案においては、好ましくは、弾性部材は、蓋の裏面に対向する面が波状に形成されている。
このように構成された本考案においては、弾性部材が波状に形成されているので、小物を弾性部材に載置したときに弾性部材が小物の形状に応じて変形しやすくなるとともに、小物が蓋との間で確実に挟持される。
【０００８】
本考案においては、好ましくは、弾性部材は、波状の先端部分のみが蓋の裏面によって圧縮されるように構成される。
このように構成された本考案においては、弾性部材の波状の先端部分のみが蓋の裏面によって圧縮されるので、波状の先端部分と蓋との間で小物が確実に挟持される。
【０００９】
本考案においては、好ましくは、弾性部材は、蓋を本体部に対して閉じたとき、弾性部材の少なくとも一部が蓋の裏面によって圧縮されるように構成される。
このように構成された本考案においては、弾性部材の少なくとも一部が蓋の裏面によって圧縮されるので、小物が弾性部材と蓋との間で確実に挟持される。
【００１０】
本考案において、好ましくは、蓋の少なくとも一部は、本体部に収納された小物が視認可能なように、透明部材で形成されている。
このように構成された本考案においては、蓋の少なくとも一部が透明部材で形成されているので、本体部に収納された小物が外部から視認可能となる。よって小物収納具を展示用具として用いることも可能になる。
【００１１】
本考案において、好ましくは、弾性部材は、本体部の厚み方向に２層設けられている。
このように構成された本考案においては、弾性部材が２層に形成されているので、下側の弾性部材を本体部から外すと、弾性部材と蓋との間に空間が形成されるので、より厚みのある小物が収納可能になる。
【図面の簡単な説明】
【００１２】
【図１】本考案の一実施形態に係る小物収納具の斜視図である。
【図２】本考案の一実施形態に係る小物収納具の蓋を開けた状態を示す図である。
【図３】本考案の一実施形態に係る小物収納具に小物を収納した状態を示す図である。
【考案を実施するための形態】
【００１３】
以下、本考案の好ましい実施形態を添付図面を参照して説明する。
図１は、本考案に一実施形態に係る小物収納具１の斜視図であり、図２は、本考案の一実施形態に係る小物収納具１の蓋４を開けた状態を示す図である。これらの図１及び図２に示すように、小物収納具１は、本体部２と、蓋４と、本体部２内に収納された弾性部材６と、を有する。
【００１４】
本体部２は、直方体の上面が開口した箱状に形成されており、内部に弾性部材６を収納している。本体部２の上面８には、長辺に沿って２カ所、計４カ所に磁石１０が埋め込まれている。また、本体部２の側面１２にも、２カ所に磁石１０が埋め込まれている。
【００１５】
蓋４は、本体部２の側面１２とは反対側の側面１４の上端に接続された矩形の板状部材であり、本体部２の上面の開口を覆う上面部１６と、上面部１６に連続し、本体部２の側面１２を覆う側面部１８とを有する。
蓋４の上面部１６の略中央には、矩形の透明部材２０が設けられており、その周りに蓋４の不透明部分が枠状に配置されている。
【００１６】
蓋４の裏面で透明部材２０の周囲には、本体部２の上面に設けられた磁石１０に対応する位置に磁石２２が埋め込まれている。より具体的には、磁石２２は、上面部１６の長辺に沿って互いに所定間隔をあけてそれぞれ２カ所、計４カ所設けられている。
また、蓋の側面部１８の裏面には、本体部２の側面１２に設けられた磁石１０に対応する位置に、磁石２２が２カ所設けられている。
【００１７】
弾性部材６は、弾性を有する任意の材料で形成可能であるが、本実施形態では、スポンジで形成される。弾性部材６は、上下２層に形成されており、全体として、本体部２の内部形状に対応する略直方体に形成されている。弾性部材６が本体部２に収納された状態では、弾性部材６の底面及び４つの側面が、本体部２の内面に接触する。
【００１８】
弾性部材６の上方の層は、上面が波状に形成されている。波状の先端部分の一部は、本体部２の上面から若干上方に突出している。
また、弾性部材６の下方の層は、直方体に形成されている。
【００１９】
図３は、本考案の位置実施形態に係る小物収納具に小物を収納した状態を示す図である。この図３に示すように、例えばキーホルダー２４や、バッジ２６、葉書２８等の任意の小物を弾性部材６上に載置する。弾性部材６は、小物の形状に応じて変形し、これにより小物は本体部２に収納される。蓋４を閉めると、上面部１６及び側面部１８の磁石２２が本体部２の磁石１０に吸着し、蓋４が本体部２の上面の開口を覆って本体部２に固定される。
【００２０】
この状態では、蓋４の裏面と弾性部材６の一部が接触する。より具体的には、弾性部材６の波状の先端部分だけが、蓋４の裏面に接触し、蓋４の裏面によって圧縮される。これにより小物が蓋４と弾性部材６との間に挟持される。
【００２１】
より厚みのある小物を収納する場合には、弾性部材６の２層のうちの下の層を取り除く。すると弾性部材６の波状の先端部分の位置が下がるので、蓋４と弾性部材６との間の距離が広くなる。
【００２２】
このように構成された本実施形態によれば、次のような優れた効果を得ることができる。
小物収納具１が本体部２と、蓋４と、蓋４の裏面に対向して設けられる弾性部材６とを有するので、小物を弾性部材６の上に載置して小物を小物収納具１に収納することができる。弾性部材６が小物の形状に合わせて変形するから、様々な形状、大きさの小物を自由な配置で収納することができる。
【００２３】
蓋４を閉じたときに、弾性部材６の波状の先端部分が蓋４の裏面に接触し、より詳細には先端部分が蓋４の裏面によって圧縮されるので、小物を蓋４と弾性部材６との間に保持することができる。よって、例えば小物収納具１の上面が鉛直になるように配置しても、小物が落ちることがない。よって小物収納具１を立てて小物を展示することもできる。
【００２４】
弾性部材６の上面が波状に形成されているので、小物の形状に応じて弾性部材６が変形しやすくなるから、小物を簡単に小物収納具１に収納することができる。また、弾性部材６の波状の先端部分のみが蓋４の裏面によって圧縮されるようになっているので、先端部分と蓋４との間で小物を確実に保持することができる。
【００２５】
蓋４に透明部材２０を設けたので、小物を収納した状態で外部から透明部材２０を通して小物を観察することができる。よって小物収納具１を展示具として使用することもできる。
【００２６】
弾性部材６が上下２層に形成されているので、下側の層を取り外せば、弾性部材６がより下方に配置されるから、蓋４と弾性部材６との間に空間が形成される。これにより、より厚い小物を収納することもできるようになる。
【００２７】
本考案は、以上の実施の形態に限定されることなく、例えば、以下のような態様であってもよい。
前述の実施形態では、弾性部材が上下２層になっていたが、これに限らず、例えば１つの部材で構成されていてもよい。
【００２８】
弾性部材は、波状の先端部分のみが蓋の裏面に接触または圧縮されていたが、これに限らず弾性部材の全面において蓋の裏面に接触または圧縮されていてもよい。要するに、弾性部材は、その少なくとも１部が蓋の裏面に接触または圧縮されていればよい。
また、弾性部材は、必ずしも蓋の裏面に接触または圧縮されていなくてもよく、小物を弾性部材と蓋との間で挟持し保持することができれば、蓋の裏面と弾性部材との間に隙間があいていてもよい。
【００２９】
弾性部材は、蓋の裏面に対向する面、すなわち上面が波状に形成されていたが、これに限らず、その他任意の凹凸形状あるいは平らな形状に形成されていてもよい。
【００３０】
透明部材は、蓋の上面部の任意の部分に設けられてよく、例えば蓋の上面の一部あるいは全部に設けられていてよい。要するに、透明部材は、蓋の少なくとも一部に形成されていればよい。
【符号の説明】
【００３１】
１  小物収納具
２  本体部
４  蓋
６  弾性部材
２０  透明部材
【図１】
0003224051.tif 000003
【図２】
0003224051.tif 000004
【図３】
0003224051.tif 000005